(57)【要約】【課題】ビューファインダ観察時には背面表示部による眩惑を軽減して背面表示部を保護することができるビューファインダ付カメラ等を提供する。【解決手段】カメラ１の背面に設けられたファインダ窓３ａを介して被写体を観察するように構成されたビューファインダと、カメラ１の背面に設けられた背面表示部２と、この背面表示部２を覆う位置と覆わない位置とに変位可能に設けられ、光の入射方向に応じて透過率が異なる光透過性を有するフード部材１１と、を備えるビューファインダ付カメラ１であって、フード部材１１は、覆う位置にあるときには、ファインダ窓３ａを介して被写体を観察する観察者の眼に背面表示部２から入射しようとする光の光量を低減し、覆わない位置にあるときには、背面表示部２に入射しようとする外光の光量を低減するように構成されたものである。【選択図】図５
2009071443.tif 000002
【特許請求の範囲】
【請求項１】
カメラの背面に設けられたファインダ窓を介して被写体を観察するように構成されたビューファインダと、
カメラの背面に設けられた背面表示部と、
この背面表示部を覆う位置と覆わない位置とに変位可能に設けられ、光の入射方向に応じて透過率が異なる光透過性を有するフード部材と、
を具備し、上記フード部材は、上記覆う位置にあるときには、上記ファインダ窓を介して被写体を観察する観察者の眼に上記背面表示部から入射しようとする光の光量を低減するように構成されたものであることを特徴とするビューファインダ付カメラ。
【請求項２】
上記フード部材は、上記覆わない位置にあるときには、上記背面表示部に入射しようとする外光の光量を低減するように構成されたものであることを特徴とする請求項１に記載のビューファインダ付カメラ。
【請求項３】
上記フード部材は、上記覆わない位置にあるときには、さらに、上記背面表示部を観察する観察者の眼に入射しようとする外光の光量を低減するように構成されたものであることを特徴とする請求項２に記載のビューファインダ付カメラ。
【請求項４】
上記フード部材は、横方向のルーバ構造を備えた光指向性を有する部材により構成されたものであることを特徴とする請求項１に記載のビューファインダ付カメラ。
【請求項５】
上記フード部材は、略平板状をなす光学部材であって、主面の少なくとも一方が鋸刃状の断面形状を有するように構成された光学部材を含んで構成されたものであることを特徴とする請求項１に記載のビューファインダ付カメラ。
【請求項６】
上記フード部材は、略平板状をなす光学部材であって主面の少なくとも一方が鋸刃状の断面形状を有するように構成された光学部材を２枚、該鋸刃状の断面形状をなす主面が互いに対向するように配設して構成されたものであることを特徴とする請求項５に記載のビューファインダ付カメラ。
【請求項７】
被写体を観察するためのビューファインダにおけるファインダ窓と、背面表示部と、を背面に備えるビューファインダ付カメラに装着して使用し得るフード部材であって、
当該フード部材を、上記背面表示部を覆う位置と覆わない位置とに変位可能とするための変位用構造部と、
上記覆う位置にあるときには、上記背面表示部の垂直方向を含み該背面表示部から上記ビューファインダへ向かう方向は含まない所定の方向範囲に対して該背面表示部からの光を透過し、該所定の方向範囲の外に対しては該背面表示部からの光の透過光量を低減する光指向性構造部と、
を具備したことを特徴とするフード部材。
【発明の詳細な説明】
【技術分野】
【０００１】
本発明は、ビューファインダと背面表示部とを備えたビューファインダ付カメラと、ビューファインダ付カメラに装着して使用し得るフード部材と、に関する。
【背景技術】
【０００２】
近年、一眼レフレックスタイプのデジタルカメラが広く普及してきている。この一眼レフレックスタイプのデジタルカメラは、撮影レンズから入射する光に基づき被写体を観察するための光学ビューファインダ（ＯＶＦ：オプティカル・ビュー・ファインダ）を備えると共に、さらに撮影後の画像等を確認するための背面表示部（液晶モニタなど）を備えているのが一般的である。
【０００３】
また、正確には一眼レフレックスタイプではないものの、一眼レフレックスタイプに類似した使用法が可能なデジタルカメラとして、スルー画像を介して被写体を観察しかつ撮影後の画像等を確認するための背面表示部（液晶モニタなど）を備えると共に、さらにファインダ窓を介して電子画像を観察する電子ビューファインダを備えたタイプのものもある。
【０００４】
これら光学ビューファインダや電子ビューファインダを備えたカメラ（これらをまとめて、ビューファインダ付カメラという）は、レイアウトとして、カメラ背面側に液晶モニタが背面表示部として配置され、その上部にビューファインダのファインダ窓が配置されているのが一般的である。
【０００５】
ところで、カメラに用いられる液晶モニタは、現在のところ、バックライト等を用いて発光するタイプのものがほとんどであるが、バックライトの光量は直射日光の光量には及ばないために、明るい昼間の屋外等では液晶モニタの表示が見難くなることが知られている。
【０００６】
また、上述したようなビューファインダ付カメラのレイアウトでは、ファインダ窓を介して観察を行おうとする際に、液晶モニタの表示が行われていると、該液晶モニタからの光が観察者の眼に入射して、ビューファインダが幾らか見難くなることがある。
【０００７】
こうした課題に対応するための技術は、従来より種々のものが提案されている。
【０００８】
例えば、特開平１０−９８６３５号公報には、液晶モニタ付きビデオカメラに使用するものであって、開閉自在なブラインドを備えた保護カバーが記載されている。そして、ブラインドを開閉操作することにより、保護カバーを装着しているときにビデオカメラの液晶モニタの画面を観察することが可能であり、しかも、外光の反射を調整して液晶モニタを見易くすることができるものとなっている。
【０００９】
また、特開２００４−２４５９９８号公報には、液晶モニタ付カメラに遮光フードユニットを取り付ける技術が記載されている。該公報に記載の遮光フードは、液晶モニタを覆う保護位置と、液晶モニタへの外光を遮光する遮光位置と、に変位するように構成されていて、さらに保護位置と遮光位置の変位に応じてカメラの電源がオフ／オンされるものとなっている。
【００１０】
そして、市販されている一眼レフレックスタイプのデジタルカメラの中には、接眼レンズの近傍に接眼を検知するセンサを設けて、接眼が検知された場合には液晶モニタの表示をオフにする技術を採用したものもある。
【特許文献１】特開平１０−９８６３５号公報
【特許文献２】特開２００４−２４５９９８号公報
【発明の開示】
【発明が解決しようとする課題】
【００１１】
しかしながら、上記特開平１０−９８６３５号公報に記載のものは、ブラインドが開閉自在となっているために、構造が複雑になるとともに保護カバー全体の大きさ（特に厚み）が大きくなってしまう。そして、このような構成の保護カバーを、ビューファインダ付カメラに適用しようとすると、その大きさや厚みのために接眼部と干渉する可能性があり、例え干渉しなくても液晶フードとして使い易いとはいえない。
【００１２】
また、上記特開２００４−２４５９９８号公報に記載のものは、光学ビューファインダを備えた一眼レフレックスタイプのカメラに使用するには適さない。なぜならば、光学ビューファインダはフードを閉じた状態で使用されると考えられるが、このときに電源がオフであると、光学ビューファインダを観察しながらの撮影を行うことができないからである。さらに、該公報に記載のフードは、遮光を行うものであるために、保護位置にあるときには液晶モニタを観察することができなくなるが、このような構成では、光学ビューファインダを介して撮影を行ったとしても、撮影後に画像を液晶モニタで確認することができない。
【００１３】
そして、上述した市販されている一眼レフレックスタイプのデジタルカメラに採用された技術は、接眼を検知するためのセンサ等が必要になるために、カメラのコストが高くなってしまう。さらに、接眼状態に応じて単に液晶モニタをオン／オフするだけでは、液晶モニタを介して観察を行う際に外光を遮ることができないために、昼間の屋外等では表示が見難くなるという課題を解決することができない。
【００１４】
本発明は上記事情に鑑みてなされたものであり、ビューファインダを観察しているときには背面表示部による眩惑を軽減して背面表示部を保護することができる低コストなフード部材と、このフード部材を備えたビューファインダ付カメラと、を提供することを目的としている。
【課題を解決するための手段】
【００１５】
上記の目的を達成するために、第１の発明によるビューファインダ付カメラは、カメラの背面に設けられたファインダ窓を介して被写体を観察するように構成されたビューファインダと、カメラの背面に設けられた背面表示部と、この背面表示部を覆う位置と覆わない位置とに変位可能に設けられ光の入射方向に応じて透過率が異なる光透過性を有するフード部材と、を具備し、上記フード部材は、上記覆う位置にあるときには、上記ファインダ窓を介して被写体を観察する観察者の眼に上記背面表示部から入射しようとする光の光量を低減するように構成されたものである。
【００１６】
また、第２の発明によるビューファインダ付カメラは、上記第１の発明によるビューファインダ付カメラにおいて、上記フード部材が、上記覆わない位置にあるときには、上記背面表示部に入射しようとする外光の光量を低減するように構成されたものである。
【００１７】
さらに、第３の発明によるビューファインダ付カメラは、上記第２の発明によるビューファインダ付カメラにおいて、上記フード部材が、上記覆わない位置にあるときには、さらに、上記背面表示部を観察する観察者の眼に入射しようとする外光の光量を低減するように構成されたものである。
【００１８】
第４の発明によるビューファインダ付カメラは、上記第１の発明によるビューファインダ付カメラにおいて、上記フード部材が、横方向のルーバ構造を備えた光指向性を有する部材により構成されたものである。
【００１９】
第５の発明によるビューファインダ付カメラは、上記第１の発明によるビューファインダ付カメラにおいて、上記フード部材が、略平板状をなす光学部材であって、主面の少なくとも一方が鋸刃状の断面形状を有するように構成された光学部材を含んで構成されたものである。
【００２０】
第６の発明によるビューファインダ付カメラは、上記第５の発明によるビューファインダ付カメラにおいて、上記フード部材が、略平板状をなす光学部材であって主面の少なくとも一方が鋸刃状の断面形状を有するように構成された光学部材を２枚、該鋸刃状の断面形状をなす主面が互いに対向するように配設して構成されたものである。
【００２１】
第７の発明によるフード部材は、被写体を観察するためのビューファインダにおけるファインダ窓と、背面表示部と、を背面に備えるビューファインダ付カメラに装着して使用し得るフード部材であって、当該フード部材を上記背面表示部を覆う位置と覆わない位置とに変位可能とするための変位用構造部と、上記覆う位置にあるときには上記背面表示部の垂直方向を含み該背面表示部から上記ビューファインダへ向かう方向は含まない所定の方向範囲に対して該背面表示部からの光を透過し該所定の方向範囲の外に対しては該背面表示部からの光の透過光量を低減する光指向性構造部と、を具備したものである。
【発明の効果】
【００２２】
本発明のビューファインダ付カメラ、フード部材によれば、ビューファインダを観察しているときには背面表示部による眩惑を軽減して背面表示部を保護することが可能となる。
【発明を実施するための最良の形態】
【００２３】
以下、図面を参照して本発明の実施の形態を説明する。
【００２４】
［実施形態１］
図１から図７は本発明の実施形態１を示したものであり、図１はフード部材が背面表示部を覆う位置にあるときのカメラを背面側から示す斜視図、図２はフード部材が背面表示部を覆わない位置にあるときのカメラを背面側から示す斜視図である。
【００２５】
このビューファインダ付カメラ（以下では単に「カメラ」という）１は、撮影後の画像や記録済みの画像あるいはライブビュー時の画像などを観察するための液晶モニタ等で構成される背面表示部２を、背面側中央部に備えている。さらにこのカメラ１の背面の、背面表示部２の上部には、接眼レンズ等を含むファインダ窓３ａを介して被写体像（被写体光学像または被写体電子画像）を観察するように構成されたビューファインダ３が設けられている。ここに、ビューファインダ３は、光学ビューファインダと液晶ビューファインダとの何れであっても構わない。
【００２６】
そして、背面表示部２を覆う位置（図１参照）と覆わない位置（図２参照）とに変位可能となるようにフード部材１１が設けられている。このフード部材１１は、図１および図２を見比べれば分かるように、上辺側をカメラ１本体に対して回動可能に支持されており、図１に示す覆う位置においては背面表示部２の表面を完全に覆い、図２に示す覆わない位置においては跳ね上げられて背面表示部２の表面が完全に露呈する状態となる。このフード部材１１は、基本的には透明な素材により略矩形の板状をなすように形成されていて、図１に示す覆う位置においても背面表示部２を観察可能であるものとなっている。ただし、このフード部材１１は、光線の入射／射出方向によっては遮光の機能をも果たすものとなっているが、その詳細については後述する。
【００２７】
次に、図３は、フード部材１１のカメラ１への取付構造の第１例を背面側から示す分解斜視図である。
【００２８】
フード部材１１は、上辺両端から腕部を上方向に延出し、各々の向かい合う面に円柱状をなすヒンジ凸部１１ａを互いに対向するように突設している。また、このヒンジ凸部１１ａの近傍には、ボス１１ｂが突設されている。これらヒンジ凸部１１ａおよびボス１１ｂは、このフード部材１１を、背面表示部２を覆う位置と覆わない位置とに変位可能とするための変位用構造部である。
【００２９】
一方、カメラ１の背面表示部２の上辺両端の近傍には、フード取付部４が形成されている。このフード取付部４は、円形穴をなすヒンジ凹部４ａと、このヒンジ凹部４ａの開口周縁に沿って複数設けられた係合凹部４ｂと、を備えて構成されている。
【００３０】
そして、ヒンジ凸部１１ａとヒンジ凹部４ａとを係合することにより、フード部材１１がこの係合部分を中心としてカメラ１本体に対して回動可能となる。また、回動位置の途中において、ボス１１ｂと係合凹部４ｂとが係合すると、その角度位置でフード部材１１を係止することが可能となっている。従って、ボス１１ｂと係合凹部４ｂとは、いわゆるクリック機構を構成している。
【００３１】
続いて、図４は、フード部材１１のカメラ１への取付構造の第２例を背面側から示す分解斜視図である。
【００３２】
カメラ１のファインダ窓３ａの周辺には、アイキャップを取り付けるためのファインダ窓枠５が配設されている。このファインダ窓枠５の左右辺には、アイキャップをスライドして取り付けるための係合溝５ａが形成されている。
【００３３】
一方、フード部材１１は、枠部材１２に対してヒンジ等を介して回動可能となるように取り付けられている。この枠部材１２の上辺中央部には左右の腕部１２ａがそれぞれ延出されており、この腕部１２ａの内面側には上下方向の凸条１２ｂが形成され、また外面側には上下方向の係合溝１２ｃが形成されている。これらの内の凸条１２ｂは、ファインダ窓枠５に設けられた係合溝５ａに係合するようになっている。なお、凸条１２ｂと係合溝５ａとを所定位置まで係合させると、図示しない係止機構によりその位置が保持されるものとする。
【００３４】
また、係合溝１２ｃに対して係合するための凸条１３ｃを備えたアイキャップ１３が設けられている。このアイキャップ１３は、ファインダ窓枠５に枠部材１２を取り付けた後にさらに枠部材１２に対して取り付けるタイプのものであるために、ファインダ窓枠５に対して直接取り付けるアイキャップよりも左右方向の幅がやや長いものとなっている。そして、フード部材１１および枠部材１２をカメラ１のファインダ窓枠５に取り付けた後に、凸条１３ｃを係合溝１２ｃに係合させながらアイキャップ１３を取り付けることにより、フード部材１１、枠部材１２、アイキャップ１３のカメラ１への取り付けが完了するようになっている。ここに、凸条１３ｃと係合溝１２ｃとを所定位置まで係合させたときにも、図示しない係止機構によりその位置が保持されるものとする。
【００３５】
なお、フード部材１１をカメラ１に対して取り付ける構成は、これら図３、図４に示したような構成に限るものではもちろんなく、その他の各種の構成を採用することが可能である。例えば、フード部材１１をカメラ１に対して取り外しができないように取り付けることも可能であるが、昼間はフード部材１１を装着して用い、夜間はフード部材１１を取り外して用いるといった使用法を可能とするためには、フード部材１１は着脱自在であることが望ましい。
【００３６】
次に、図５から図７を参照して、本実施形態のフード部材１１の構成と作用について説明する。フード部材１１は、水平方向のルーバ１１ｃを垂直方向に複数配列して構成されたものとなっている。ここにルーバ１１ｃは、フード部材１１の主面に対して所定範囲内の角度の光を透過し、該所定範囲を逸脱している光を遮光するように機能する光指向性構造部である。具体例としては、フード部材１１の主面に立てた法線を中心として上方向に４５°以下、下方向に４５°以下の光を透過し（つまり、可視角度９０°）、それ以外の光を遮光するなどである。なお、この可視角度は、ルーバ１１ｃの幅や厚み、フード部材１１を構成する透明素材の屈折率などに応じて、適宜に設計することが可能である。
【００３７】
まず、図５はフード部材１１を背面表示部２を覆う位置に変位させたときの作用を説明するための図である。
【００３８】
背面表示部２から射出される光の内の、上述した可視角度内の光は透過され、可視角度を超える光は遮光される。従って、背面表示部２から射出されて、ファインダ窓３ａを介して観察を行っている撮影者の眼に向かう光を遮光するようにルーバ１１ｃを設計することにより、背面表示部２をオフしなくても、背面表示部２からの光が撮影者の観察に影響を及ぼすのを軽減し、あるいは遮断することが可能となる。
【００３９】
一方、フード部材１１を背面表示部２を覆う位置に変位させたときであっても、撮影者が眼を可視角度内に移動させることにより、背面表示部２を観察することが可能となる。さらにこのときには、可視角度を超える範囲からフード部材１１に入射しようとする外光は、該フード部材１１により遮光されるために、背面表示部２に入射しようとする外光の影響を低減することも可能となる。
【００４０】
こうして、フード部材１１が背面表示部２を覆う位置にあるときには、ビューファインダ３による観察と、背面表示部２による観察と、の何れをも所望に行うことができ、しかも屋外観察時の背面表示部２のコントラストを向上することもできる。
【００４１】
次に、図６はフード部材１１を背面表示部２を覆わない位置に変位させたときの第１の作用を説明するための図である。
【００４２】
フード部材１１が背面表示部２を覆わない位置にあるときには、ビューファインダ３による観察を行うことができないために、この位置は背面表示部２により観察を行うとき専用の位置となる。そして、フード部材１１がないと外光が背面表示部２に照射されるときであっても、フード部材１１により図６に示すように外光が遮光されるために、背面表示部２を高いコントラストで観察することが可能となる。そして、外光が例えば太陽である場合には、時間や季節によって光線の角度が異なるが、このときにもフード部材１１の角度を上述したヒンジ機構等を用いて調節することにより、外光が背面表示部２に照射されないようにすることができる。
【００４３】
続いて、図７はフード部材１１を背面表示部２を覆わない位置に変位させたときの第２の作用を説明するための図である。
【００４４】
フード部材１１は、図７に示すように、外光が背面表示部２を観察している観察者の眼に照射されるのを遮光する機能も果たすことができる。これにより、観察者は、外光によるまぶしさを感じることなく、快適に背面表示部２を観察することが可能となる。なお、ヒンジ機構等を用いてフード部材１１の角度を調節することにより、外光が観察者の眼に入らないようにすることができるのは、図６を参照して説明した例と同様である。
【００４５】
このような実施形態１によれば、フード部材１１を背面表示部２を覆う位置に変位させたときに、ビューファインダ３を介した観察と、背面表示部２を介した観察との両方を行うことができる。そして、ビューファインダ３を介した観察を行っているときに、背面表示部２からの光が観察を妨げるのを予防することができる。一方、背面表示部２を介した観察を行っているときには、背面表示部２に外光が照射されるのを低減することもでき、コントラストの高い画像を観察することが可能となる。
【００４６】
また、フード部材１１を背面表示部２を覆わない位置に変位させたときには、外光が背面表示部２に照射されるのを低減して、コントラストの高い画像を観察することができる。さらに、外光が観察者の眼に照射されるのを低減することができ、まぶしさを軽減した見易い観察を行うこともできる。
【００４７】
このようなルーバは、ライトコントロールフィルム（住友スリーエム株式会社の商品名）などの名称で薄いフィルム状のものとして入手可能であるために、透明な樹脂にこのようなフィルムを貼り付けるという簡単な構成で、安価で薄いフードを製造することが可能となる。そして、フードを薄く形成することができるために、カメラの外観を大きく変えることがないという利点がある。
【００４８】
［実施形態２］
図８から図１５は本発明の実施形態２を示したものであり、図８はフード部材が背面表示部を覆う位置にあるときのカメラを側方から示す図、図９はフード部材が背面表示部を覆う位置にあるときの光線の様子を側方から示す図、図１０はフード部材が背面表示部を覆わない位置にあるときのカメラを側方から示す図、図１１はフード部材が背面表示部を覆わない位置にあるときの光線の様子を側方から示す図、図１２はフード部材を構成する光学部材の断面形状を拡大して示す図、図１３はフード部材が背面表示部を覆う位置にあるときの観察可能範囲を側方から示す図、図１４はフード部材が背面表示部を覆わない位置にあるときの外光遮光範囲を側方から示す図、図１５はフード部材に対する光の入射角と射出角との関係を示す線図である。この実施形態２において、上述の実施形態１と同様である部分については同一の符号を付して説明を省略し、主として異なる点についてのみ説明する。
【００４９】
本実施形態は、フード部材の構成が上述した実施形態１とは異なるものとなっている。すなわち、本実施形態のフード部材１１Ａは、図９や図１１に示すように、板状をなす２枚の光学部材２１，２２を、間に空気層を挟むように貼り合わせて構成されたものとなっている。
【００５０】
これら２枚の光学部材２１，２２は、フード部材１１Ａにおける光の入射面または射出面となる光学面２１ａ，２２ａについては互いに平行な平面となっている。これに対して、２枚の光学部材２１，２２の貼り合わされて対向している面は、縦方向の断面形状を図１２に示すように、比較的幅広で傾斜の緩やかな斜面ＦＡと、比較的幅狭で傾斜の急な斜面ＦＢと、で構成される断面パターン（鋸刃状の断面パターン）を周期的に繰り返す構造（光指向性構造部）となっている。そして、これらの光学部材２１，２２は、水平方向には一様に構成されていて、つまり水平方向の異なる位置において垂直方向の断面をとったときに、その断面形状は同一である。加えて、２枚の光学部材２１，２２の貼り合わせは、互いの斜面ＦＡ同士が平行となるように（つまり、互いの斜面ＦＢ同士も平行となるように）行われる。
【００５１】
図１２に示すように、縦方向の断面において、斜面ＦＡは光学面２１ａ，２２ａに対して角度θa をなすように構成され、斜面ＦＢは斜面ＦＡに対して角度θb をなすように構成されている。
【００５２】
このような構成において、光学面２１ａ，２２ａに対して垂直に近い角度で入射する光線は、図９に示すように、その大部分が、光学部材２１側の斜面ＦＡと光学部材２２側の斜面ＦＡとを経て通過するために、ほぼそのまま透過される。従って、フード部材１１Ａが背面表示部２を覆う位置にあるときには、図８に示すように、背面表示部２からの光の内の、フード部材１１Ａに対して垂直な方向を含む所定範囲内の光が透過され、画像を観察することが可能である。
【００５３】
一方、光学面２１ａ，２２ａに対してある程度以上傾斜した角度で入射する光線は、図１１に示すように、必ずしもそのまま透過はされない。すなわち、図１０に示すような状況において、斜めの外光が光学部材２２の光学面２２ａ側に入射してきたものとする。すると、一部の光は、光学部材２２の斜面ＦＡと空気層との境界面で反射（あるいは全反射）される。また、他の一部の光は、光学部材２２側の斜面ＦＡと光学部材２１側の斜面ＦＢとを通って、光学面２１ａと外部の空気との境界面で反射（あるいは全反射）される（この光を迷光ＡＢ（符号はＬＡＢ）ということにする）。さらにまた、他の一部の光は、光学部材２２側の斜面ＦＢと光学部材２１側の斜面ＦＡとを通過して、光学面２２ａに入射したときとは異なる方向へ射出される（プリズム作用）（この光を迷光ＢＡ（符号はＬＢＡ）ということにする）。従って、フード部材１１Ａが背面表示部２を覆わない位置にあるときには、図１０に示すように、外光が背面表示部２を観察する観察者の眼に入らないようにすることができる。
【００５４】
上述したような構成において、図１０に示す迷光をより広い角度で遮光するためには、角度θa を大きくとると良い。ただし、角度θa を大きくとると、図８の状態で背面表示部２を上側から観察したときの視野角が狭くなってしまう。例えば角度θa を４０°以上とすると、背面表示部２を垂直に近い方向から観察しても見難くなってしまうことになる。従って、角度θa は、例えば５°＜θa ＜３０°程度の範囲とすると良い。
【００５５】
角度θb を９０°よりも小さくすると、２枚の光学部材２１，２２を通過しようとする光線が全反射条件を満たし易くなるために、射出角が制限されることになる。従って、図１０に示すような外光が、観察者の眼に入るのを低減することができる。具体的には、θb ≦８５°となるようにすると、より効果的に迷光を遮光することができる。
【００５６】
ただし、斜面ＦＢが光学面２１ａ，２２ａと平行な面に対してなす角度は、図１２に示すようにθa ＋θb となるが、この角度θa ＋θb が９０°未満となると、１つの光学部材２１または２２のみで斜面ＦＡおよび斜面ＦＢの両方を通過する光が生じることになり、複雑な屈折光や反射光が生じる原因となるために望ましくない。従って、角度θa ＋θb は９０°以上であること、つまりθb ≧９０°−θa を満たすことが望ましいと考えられる。
【００５７】
これらの各要因を勘案した設計角度の一例が、θa ＝１５°、θb ＝８５°である。
【００５８】
次に、図１３〜図１５を参照して、より具体的な実施例について説明する。まず、図１３および図１４を参照して、図１５に示す線図における入射角と射出角との定義について説明する。
【００５９】
図１３、図１４に示すように、入射角における０°は、フード部材１１Ａの光学面２１ａまたは光学面２２ａに対して入射する光線が垂直であることを意味する。すなわち、図１３においては背面表示部２からの光線が入射する入射面は光学面２１ａであるために、この光学面２１ａに垂直に入射する光線の入射角が０°である。また、図１４においては太陽光等の外光が入射する入射面は光学面２２ａであるために、この光学面２２ａに垂直に入射する光線の入射角が０°である。
【００６０】
一方、入射角における＋９０°は、図１３においてはカメラ１の上側Ｕからカメラ１の下側Ｄへ向かう光学面２１ａまたは光学面２２ａに対して平行な方向として定義される。従って、入射角における−９０°は、図１３においてカメラ１の下側Ｄからカメラ１の上側Ｕへ向かう光学面２１ａまたは光学面２２ａに対して平行な方向である。また、図１４においては、入射角における＋９０°は、観察者側からカメラ１側へ向かう光学面２１ａまたは光学面２２ａに対して平行な方向として定義される。従って、入射角における−９０°は、図１４においてカメラ１側から観察者側へ向かう光学面２１ａまたは光学面２２ａに対して平行な方向である。
【００６１】
そして、射出角は、それぞれ、入射角と平行に定義される。
【００６２】
このような定義の下で、フード部材１１Ａに対する光の入射角と射出角との関係を示すのが図１５である。ここに、この図１５に示す例においては、光学部材２１，２２を形成するための光学素材（例えばアクリル等）の屈折率をＮ＝１．４９としている。
【００６３】
まず、図９に示したような２枚の光学部材２１，２２の斜面ＦＡ同士を通過する光線は、図１５の実線に示す観察光となる。この観察光は、入射角と射出角が同一で、＋９０°〜−４０°程度の範囲に現れる。従って、図１３に示すように、射出角が＋９０°〜−４０°の範囲が、フード部材１１Ａが背面表示部２を覆う位置にあるときの観察可能範囲Ｖ（図１５において四角で囲んだ範囲Ｖ）となり、それ以外の射出角が−４０°〜−９０°の範囲は観察不能範囲ＩＶ（図１５において矢印で示した範囲ＩＶ）となる。
【００６４】
次に、図１５の点線に示す迷光ＡＢは、入射角−１０°〜＋２０°程度、射出角−９０°〜−６０°程度の範囲に現れ、図１５の一点鎖線に示す迷光ＢＡは、入射角−９０°〜−６０°程度、射出角−１０°〜＋１５°程度の範囲に現れる。従って、図１０に示したような、フード部材１１Ａが背面表示部２を覆わない位置にあるときの外光遮光範囲Ｇは、射出角−４０°〜−６０°程度の範囲（図１４において四角で囲んだ範囲Ｇ）となる。
【００６５】
なお、上述では、フード部材１１Ａが、図８に示したような背面表示部２を覆う位置にあるときに背面表示部２の観察を行うことができ、図１０に示したような背面表示部２を覆わない位置にあるときに外光が観察者の眼に入らないようにする構成である例について説明した。しかし、これに限るものではない。つまり、光学系の設計を変更することにより、図８の状態でビューファインダ３を介した観察を行っている観察者の眼に、背面表示部２からの光が影響を及ぼさないようにしても良い。また、図１０の状態で例えば背面側からの外光がフード部材１１Ａに入射しても、その外光が背面表示部２に照射されないようにしても良い。
【００６６】
このような実施形態２によれば、フード部材の構成を変更することによっても、上述した実施形態１とほぼ同様の効果を奏することが可能となる。
【００６７】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【図面の簡単な説明】
【００６８】
【図１】本発明の実施形態１において、フード部材が背面表示部を覆う位置にあるときのカメラを背面側から示す斜視図。
【図２】上記実施形態１において、フード部材が背面表示部を覆わない位置にあるときのカメラを背面側から示す斜視図。
【図３】上記実施形態１において、フード部材のカメラへの取付構造の第１例を背面側から示す分解斜視図。
【図４】上記実施形態１において、フード部材のカメラへの取付構造の第２例を背面側から示す分解斜視図。
【図５】上記実施形態１において、フード部材を背面表示部を覆う位置に変位させたときの作用を説明するための図。
【図６】上記実施形態１において、フード部材を背面表示部を覆わない位置に変位させたときの第１の作用を説明するための図。
【図７】上記実施形態１において、フード部材を背面表示部を覆わない位置に変位させたときの第２の作用を説明するための図。
【図８】本発明の実施形態２において、フード部材が背面表示部を覆う位置にあるときのカメラを側方から示す図。
【図９】上記実施形態２において、フード部材が背面表示部を覆う位置にあるときの光線の様子を側方から示す図。
【図１０】上記実施形態２において、フード部材が背面表示部を覆わない位置にあるときのカメラを側方から示す図。
【図１１】上記実施形態２において、フード部材が背面表示部を覆わない位置にあるときの光線の様子を側方から示す図。
【図１２】上記実施形態２において、フード部材を構成する光学部材の断面形状を拡大して示す図。
【図１３】上記実施形態２において、フード部材が背面表示部を覆う位置にあるときの観察可能範囲を側方から示す図。
【図１４】上記実施形態２において、フード部材が背面表示部を覆わない位置にあるときの外光遮光範囲を側方から示す図。
【図１５】上記実施形態２において、フード部材に対する光の入射角と射出角との関係を示す線図。
【符号の説明】
【００６９】
１…ビューファインダ付カメラ
２…背面表示部
３…ビューファインダ
３ａ…ファインダ窓
４…フード取付部
４ａ…ヒンジ凹部
４ｂ…係合凹部
５…ファインダ窓枠
５ａ…係合溝
１１，１１Ａ…フード部材
１１ａ…ヒンジ凸部
１１ｂ…ボス
１１ｃ…ルーバ
１２…枠部材
１２ａ…腕部
１２ｂ…凸条
１２ｃ…係合溝
１３…アイキャップ
１３ｃ…凸条
２１，２２…光学部材
２１ａ，２２ａ…光学面
ＦＡ，ＦＢ…斜面
【図１】
2009071443.tif 000003
【図２】
2009071443.tif 000004
【図３】
2009071443.tif 000005
【図４】
2009071443.tif 000006
【図５】
2009071443.tif 000007
【図６】
2009071443.tif 000008
【図７】
2009071443.tif 000009
【図８】
2009071443.tif 000010
【図９】
2009071443.tif 000011
【図１０】
2009071443.tif 000012
【図１１】
2009071443.tif 000013
【図１２】
2009071443.tif 000014
【図１３】
2009071443.tif 000015
【図１４】
2009071443.tif 000016
【図１５】
2009071443.tif 000017